(57)【要約】【課題】ケース本体の開口部を閉塞する蓋部が開けられないように封印することができるプラスチックケースの封印方法及びその封印部材の提供を目的とする。【解決手段】ケース本体１ａの上端側開口部１ｂを上蓋部１Ｆと折込み部１Ｅ，１Ｅで閉塞した後、上蓋部１Ｆ外面に装着した封印部材３の差込み片３Ａ，３Ｂ，３Ｂを、ケース本体１ａの上端側開口部１ｂに近い差込み孔１Ｊ，１Ｋ，１Ｋに差し込む。下端側開口部１ｃを下蓋部１Ｇ，１Ｉで閉塞した後、下蓋部１Ｇ外面に装着した封印部材４の差込み片４Ａ，４Ｂ，４Ｂを、ケース本体１ａの下端側開口部１ｃに近い差込み孔１Ｎ，１Ｍ，１Ｍに差し込む。これにより、ケース本体１ａの上蓋部１Ｆ及び折込み部１Ｅ，１Ｅと下蓋部１Ｇ，１Ｉとが開けられないように封印する。【選択図】図９
2009137639.tif 000002
【特許請求の範囲】
【請求項１】
角筒状に組み立てられたケース本体の開口部を閉塞する蓋部が開けられないように封印するプラスチックケースの封印方法において、
前記蓋部全体が覆われる大きさ及び形状に形成したシート状を有する封印部材の対向する少なくとも２つの辺部に、前記ケース本体の開口部付近に形成された対向する一対の各差込み孔に対して差し込まれる差込み片を連設し、
前記封印部材を、前記ケース本体の開口部を閉塞する蓋部外面に装着する際に、該封印部材の各辺部に連設された各差込み片を、前記ケース本体の開口部付近に形成された対向する一対の各差込み孔に対して差し込んで、前記蓋部が開けられないように封印したことを特徴とする
プラスチックケースの封印方法。
【請求項２】
前記封印部材を、前記ケース本体の開口部全体が閉塞される大きさ及び形状に形成した前記蓋部外面に装着して、該蓋部が開けられないように封印したことを特徴とする
請求項１に記載のプラスチックケースの封印方法。
【請求項３】
前記封印部材を、前記ケース本体の開口部の一部が閉塞される大きさ及び形状に形成した前記蓋部外面に装着して、該蓋部が開けられないように封印したことを特徴とする
請求項１に記載のプラスチックケースの封印方法。
【請求項４】
前記封印部材を、前記ケース本体の開口部を閉塞する前記蓋部外面に装着する際に、前記封印部材の各辺部に連設された各差込み片を、該各差込み片と対応して前記蓋部の折り曲げ部分に沿って形成された各差込み孔に差し込んで、前記蓋部が開けられないように封印したことを特徴とする
請求項１〜３のいずれか一つに記載のプラスチックケースの封印方法。
【請求項５】
前記封印部材を、前記ケース本体の開口部を閉塞する前記蓋部外面に装着する際に、該封印部材の各辺部を前記ケース本体の開口部に近い側部外面に沿って折り曲げ、
前記封印部材の各辺部に連設された各差込み片を、該各差込み片と対応して前記ケース本体の開口部に近い側部外面に形成された各差込み孔に差し込んで、前記蓋部が開けられないように封印したことを特徴とする
請求項１〜３のいずれか一つに記載のプラスチックケースの封印方法。
【請求項６】
角筒状に組み立てられたケース本体の開口部を閉塞する蓋部が開けられないように封印するプラスチックケースの封印部材であって、
前記蓋部全体が覆われる大きさ及び形状に形成したシート状を有する封印部材の対向する少なくとも２つの辺部に、前記ケース本体の開口部付近に形成された対向する一対の各差込み孔に対して差し込まれる差込み片を連設したことを特徴とする
プラスチックケースの封印部材。
【請求項７】
前記封印部材の各辺部に連設された各差込み片を、該各差込み片と対応して前記蓋部の折り曲げ部分に沿って形成された各差込み孔に対して差し込み可能に設けたことを特徴とする
請求項６に記載のプラスチックケースの封印部材。
【請求項８】
前記封印部材の各辺部を、該各辺部と対応する前記ケース本体の開口部に近い側部外面に沿って折り曲げ可能に設け、
前記封印部材の各辺部に連設された各差込み片を、該各差込み片と対応して前記ケース本体の開口部に近い側部外面に形成された各差込み孔に対して差し込み可能に設けたことを特徴とする
請求項６に記載のプラスチックケースの封印部材。
【発明の詳細な説明】
【技術分野】
【０００１】
この発明は、例えば包丁、鋏、ナイフ等の刃物、或いは、調理器具、雑貨品、文房具、部品、食品等の被収容物を販売する際に用いられるプラスチックケースの封印方法及びその封印部材に関する。
【背景技術】
【０００２】
前記包丁や鋏等を透明なプラスチックケースに収容して販売する場合、プラスチックケースに収容された包丁や鋏が簡単に取り出せない方法が採用されている。
【０００３】
その方法としては、図１７の（ａ）に示すように、プラスチックケース２０の上端側開口部の前側縁部に連設された上蓋部２１と、上端側開口部の後側縁部に連設された支持部２２との重ね合わせ部分を、例えば超音波溶着、高周波溶着、熱圧着、レーザー溶着等の熱溶着手段により熱溶着２６して封印する方法がある。また、プラスチックケース２０の上端側開口部を閉塞する上蓋部２１上に、粘着テープ２７を貼着して封印する方法がある。また、図１７の（ｂ）に示すように、プラスチックケース２０の上端側開口部の前側縁部に連設された上蓋部２１を後方へ折曲げて、上端側開口部の後側縁部に連設された支持部２２に重ね合わせた後、上蓋部２１と支持部２２との重ね合わせ部分に形成された複数の孔部２３…を介して、一対の封印部品２４，２５を互いに嵌着することで封印する方法がある。また、上方から見て４角形に組み立てられた箱の開口部を４角形蓋板で閉鎖し、４角形蓋板の両端部に形成された各小舌片を、箱の底板両側部に形成された各差込孔に挿入して封印する特許文献１の果実箱がある。
【０００４】
【特許文献１】実開昭５２−１５５１２４号公報
【発明の開示】
【発明が解決しようとする課題】
【０００５】
前記熱溶着２６により封印する場合、熱溶着２６するための熱溶着装置を設置する必要があり、１つのプラスチックケース２０を封印する作業に手間及び時間が掛かるだけでなく、熱溶着装置が設置された所定の場所でしか封印作業が行えないため、作業性が悪い。また、粘着テープ２７により封印する場合、粘着テープ２７を簡単に剥離することができるので、刃物や鋏等の被収容物が抜き取られるのを防止する効果が薄い。
【０００６】
また、一対の封印部品２４，２５により封印する場合、封印部品２４，２５を互いに嵌着するための孔部２３…を、上蓋部２１と支持部２２との重ね合わせ部分に複数個設けなければならず、孔部２３の加工作業に手間及び時間が掛かる。また、孔部２３を加工する際に発生する打抜き片を手作業により１個ずつ除去しなければならず、加工費が高くなる。また、封印部品２４，２５を製作する際に用いられる射出成形機の電気代が高く、部品代として高価なものとなる。及び、封印部品２４，２５の嵌着作業にも手数を要する。
【０００７】
また、特許文献１の果実箱は、４角形蓋板により箱の開口部を直接閉鎖するので、例えば蓋部外面に封印部材を装着するよりも構造的強度が弱く、蓋板を破るだけで、箱の開口部が簡単に開口されてしまう。また、蓋板の前後端部には小舌片がなく、蓋板の前後端部と、箱の前後縁部との隙間から手を差し込んで、箱内に収容された果実等を抜き取ることが可能である。
【０００８】
この発明は前記問題に鑑み、ケース本体の開口部を閉塞する蓋部が開けられないように封印することができるプラスチックケースの封印方法及びその封印部材の提供を目的とする。
【課題を解決するための手段】
【０００９】
この発明は、角筒状に組み立てられたケース本体の開口部を閉塞する蓋部が開けられないように封印するプラスチックケースの封印方法において、前記蓋部全体が覆われる大きさ及び形状に形成したシート状を有する封印部材の対向する少なくとも２つの辺部に、前記ケース本体の開口部付近に形成された対向する一対の各差込み孔に対して差し込まれる差込み片を連設し、前記封印部材を、前記ケース本体の開口部を閉塞する蓋部外面に装着する際に、該封印部材の各辺部に連設された各差込み片を、前記ケース本体の開口部付近に形成された対向する一対の各差込み孔に対して差し込んで、前記蓋部が開けられないように封印したプラスチックケースの封印方法であることを特徴とする。
【００１０】
この発明の態様として、前記封印部材を、前記ケース本体の開口部全体が閉塞される大きさ及び形状に形成した前記蓋部外面に装着して、該蓋部が開けられないように封印することができる。
【００１１】
また、この発明の態様として、前記封印部材を、前記ケース本体の開口部の一部が閉塞される大きさ及び形状に形成した前記蓋部外面に装着して、該蓋部が開けられないように封印することができる。
【００１２】
また、この発明の態様として、前記封印部材を、前記ケース本体の開口部を閉塞する前記蓋部外面に装着する際に、前記封印部材の各辺部に連設された各差込み片を、該各差込み片と対応して前記蓋部の折り曲げ部分に沿って形成された各差込み孔に差し込んで、前記蓋部が開けられないように封印することができる。
【００１３】
また、この発明の態様として、前記封印部材を、前記ケース本体の開口部を閉塞する前記蓋部外面に装着する際に、該封印部材の各辺部を前記ケース本体の開口部に近い側部外面に沿って折り曲げ、前記封印部材の各辺部に連設された各差込み片を、該各差込み片と対応して前記ケース本体の開口部に近い側部外面に形成された各差込み孔に差し込んで、前記蓋部が開けられないように封印することができる。
【００１４】
また、この発明は、角筒状に組み立てられたケース本体の開口部を閉塞する蓋部が開けられないように封印するプラスチックケースの封印部材であって、前記蓋部全体が覆われる大きさ及び形状に形成したシート状を有する封印部材の対向する少なくとも２つの辺部に、前記ケース本体の開口部付近に形成された対向する一対の各差込み孔に対して差し込まれる差込み片を連設したプラスチックケースの封印部材であることを特徴とする。
【００１５】
また、この発明の態様として、前記封印部材の各辺部に連設された各差込み片を、該各差込み片と対応して前記蓋部の折り曲げ部分に沿って形成された各差込み孔に対して差し込み可能に設けることができる。
【００１６】
また、この発明の態様として、前記封印部材の各辺部を、該各辺部と対応する前記ケース本体の開口部に近い側部外面に沿って折り曲げ可能に設け、前記封印部材の各辺部に連設された各差込み片を、該各差込み片と対応して前記ケース本体の開口部に近い側部外面に形成された各差込み孔に対して差し込み可能に設けることができる。
【００１７】
前記被収容物は、例えば包丁、鋏、ナイフ等の刃物類、或いは、調理器具、雑貨品、文房具、部品、食品等で構成することができる。
【００１８】
また、プラスチックケースは、例えば三角形、四角形、多角形、丸筒形等の外観形状に組み立てられる筒状のケースで構成することができる。
【００１９】
また、差込み片は、例えば平面から見て半円形状に形成したもの、Ｕ字状の切欠き部を形成したもの、溝部や切込み部を形成したもの、或いは、側面から見て直角三角形状に形成するか、凸片を形成したもの等で構成することができる。
【００２０】
また、差込み孔は、例えば直線形状、弧形状、屈曲形状、楕円形状、半円形状、Ｔ字状等で構成することができる。
【００２１】
また、プラスチックケースに用いられるプラスチックシートは、例えば生分解性プラスチック、塩化ビニル（ＰＶＣ）、ポリプロピレン（ＰＰ）、ポリエチレン（ＰＥ）、アモルファスポリエチレンテレフタレート（Ａ−ＰＥＴ）等の単体又は複合したプラスチックで構成することができる。また、例えば透明、半透明、不透明に形成されたプラスチックシート、所望する表示内容が印刷されたプラスチックシート等で構成することもできる。
【発明の効果】
【００２２】
この発明によれば、ケース本体の開口部を閉塞する蓋部外面に封印部材を装着し、該封印部材の対向する少なくとも２辺に連設した各差込み片を、ケース本体の開口部付近に形成された対向する一対の各差込み孔に差し込んで、蓋部が開けられないように封印するので、ケース本体に収容された被収納物が抜き取られるのを防止することができる。また、開口部を閉塞する蓋部外面に封印部材を装着して封印するので、特許文献１のように蓋板のみで閉塞するよりも開けにくく、封印状態を維持するのに必要な構造的強度が得られる。
【発明を実施するための最良の形態】
【００２３】
この発明は、ケース本体の開口部を閉塞する蓋部が開けられないように封印することができるという目的を、ケース本体の開口部を閉塞する蓋部外面に封印部材を装着し、該封印部材の対向する少なくとも２辺に連設した各差込み片を、ケース本体の開口部付近に形成した対向する一対の各差込み孔に差し込むことで達成した。
【実施例】
【００２４】
この発明の一実施例を以下図面に基づいて詳述する。
【００２５】
図面は、被収容物の一例である刃物を包装する際に用いられるプラスチックケースの封印方法及びその封印部材を示している。
【００２６】
図１、図６、図９に於いて、このプラスチックケース１の封印方法は、角筒状に組み立てられたケース本体１ａの上端側開口部１ｂを上蓋部１Ｆ及び折込み部１Ｅ，１Ｅで閉塞した後、上蓋部１Ｆ外面に装着した封印部材３の差込み片３Ａを、前面部１Ａと上蓋部１Ｆとの折り曲げ部分に形成した差込み孔１Ｊに差込み、差込み片３Ｂ，３Ｂを、側面部１Ｂａ，１Ｂｂと折込み部１Ｅ，１Ｅとの折り曲げ部分に形成した差込み孔１Ｋ，１Ｋに差し込む。
【００２７】
また、ケース本体１ａの下端側開口部１ｃを下蓋部１Ｇ，１Ｉで閉塞した後、下蓋部１Ｇ外面に装着した封印部材４の差込み片４Ａを、前面部１Ａの下端側外面に形成した差込み孔１Ｎに差込み、差込み片４Ｂ，４Ｂを、前面部１Ａ及び後面部１Ｃの下端側外面に形成した差込み孔１Ｍ，１Ｍに差し込む。これにより、ケース本体１ａの上端側開口部１ｂを閉塞する上蓋部１Ｆ及び折込み部１Ｅ，１Ｅと、下端側開口部１ｃを閉塞する下蓋部１Ｇ，１Ｉとが開けられないように封印するものである。
【００２８】
前記プラスチックケース１は、透明なプラスチックシートを、図２に示すような角筒状のケース本体１ａを平面展開してなる大きさ及び形状に型抜きする際に、正面から見て略矩形に形成された前面部１Ａの両側縁部と、該前面部１Ａの両側縁部に連設された一対の側面部１Ｂａ，１Ｂｂの折り曲げ部分に折り曲げ罫線２を形成する。
【００２９】
また、一方の側面部１Ｂａの左側縁部と、該側面部１Ｂａの左側縁部に連設された後面部１Ｃの折り曲げ部分に折り曲げ罫線２を形成する。他方の側面部１Ｂｂの右側縁部と、該側面部１Ｂｂの右側縁部に連設された接合片１Ｄの折り曲げ部分に折り曲げ罫線２を形成する。
【００３０】
また、側面部１Ｂａ，１Ｂｂの上縁部と、該側面部１Ｂａ，１Ｂｂの上縁部に連設された折込み部１Ｅ，１Ｅの折り曲げ部分に折り曲げ罫線２を形成する。前面部１Ａの上縁部と、該前面部１Ａの上縁部に連設された上蓋部１Ｆの折り曲げ部分に折り曲げ罫線２を形成する。
【００３１】
また、前面部１Ａの下縁部と、該前面部１Ａの下縁部に連設された下蓋部１Ｇの折り曲げ部分に折り曲げ罫線２を形成する。後面部１Ｃの上縁部と、該後面部１Ｃの上縁部に連設された折返し部１Ｈの折り曲げ部分に折り曲げ罫線２を形成する。
【００３２】
また、後面部１Ｃの下縁部と、該後面部１Ｃの下縁部に連設された下蓋部１Ｉの折り曲げ部分に折り曲げ罫線２を形成する。上蓋部１Ｆの上縁部と、該上蓋部１Ｆの上縁部に連設された折込み部１Ｆａの折り曲げ部分に折り曲げ罫線２を形成する。
【００３３】
下蓋部１Ｇの下縁部と、該下蓋部１Ｇの下縁部に連設された折込み部１Ｇａの折り曲げ部分に折り曲げ罫線２を形成する。折り曲げ罫線２は、図示しない罫線刃により長手方向から見て略Ｖ字状に形成する。
【００３４】
上蓋部１Ｆは、角筒状（図３参照）に組み立てられたケース本体１ａの上端側開口部１ｂの全体が閉塞される大きさ及び形状に形成しているが、下蓋部１Ｇ，１Ｉは、ケース本体１ａの下端側開口部１ｃの略１／２が閉塞される大きさ及び形状に形成している。
【００３５】
なお、折り曲げ罫線２は、各箇所の折り曲げ部分に沿って複数条平行して形成してもよい。また、プラスチックシートを図２に示す大きさ及び形状に型抜きしてから形成してもよい。
【００３６】
ケース本体１ａの上端側開口部１ｂに近い前面部１Ａと上蓋部１Ｆとの直角に折り曲げられる折り曲げ部分の中央には、後述する封印部材３の前側長辺部に連設された差込み片３Ａの挿入が許容される差込み孔１Ｊを形成している。
【００３７】
また、ケース本体１ａの上端側開口部１ｂに近い側面部１Ｂａ，１Ｂｂと折込み部１Ｅ，１Ｅとの直角に折り曲げられる折り曲げ部分の中央には、封印部材３の両側短辺部に連設された差込み片３Ｂ，３Ｂの挿入が許容される差込み孔１Ｋをそれぞれ形成している。
【００３８】
ケース本体１ａの下端側開口部１ｃに近い後面部１Ｃと下蓋部１Ｉとの折り曲げ部分には、下蓋部１Ｇに連設された折込み部１Ｇａの挿入が許容される差込み孔１Ｌを形成している。
【００３９】
また、ケース本体１ａの下端側開口部１ｃに近い前面部１Ａ及び後面部１Ｃの下端側外面には、前面部１Ａ及び後面部１Ｃの下端側外面に沿って折り曲げられる後述する封印部材４の差込み片４Ｂ，４Ｂの挿入が許容される弧形状の差込み孔１Ｍを形成している。
【００４０】
ケース本体１ａの下端側開口部１ｃに近い側面部１Ｂｂの下端側外面には、側面部１Ｂｂの下端側外面に沿って折り曲げられる封印部材４の差込み片４Ａの挿入が許容される弧形状の差込み孔１Ｎを形成している。
【００４１】
後面部１Ｃと折返し部１Ｈとの対向面には、例えばフック、突起等に吊り下げるための吊下げ孔１Ｐ，１Ｐを厚み方向に貫通して形成している。この吊下げ孔１Ｐ，１Ｐは、折返し部１Ｈを、折り曲げ罫線２に沿って後面部１Ｃの前面にかさね合わせた状態に折り曲げた際に連通される。
【００４２】
ケース本体１ａの上端側開口部１ｂを閉塞する上蓋部１Ｆ及び折込み部１Ｅ，１Ｅが開けられないように封印する封印部材３は、図４、図６、図７に示すように、角筒状に組み立てられたケース本体１ａの上端側開口部１ｂを閉塞する上蓋部１Ｆの全体が覆われる大きさ及び形状に形成している。
【００４３】
また、ケース本体１ａの前面部１Ａの上端側外面に沿って折り曲げられる封印部材３の前側長辺部には、ケース本体１ａの前面部１Ａと上蓋部１Ｆとの折り曲げ部分に形成された差込み孔１Ｊに対して差込みが許容される差込み片３Ａを連設している。
【００４４】
また、側面部１Ｂａ，１Ｂｂの上端側外面に沿って折り曲げられる封印部材３の両側短辺部には、側面部１Ｂａ，１Ｂｂと折込み部１Ｅ，１Ｅとの折り曲げ部分に形成された差込み孔１Ｋ，１Ｋに対して差込みが許容される差込み片３Ｂ，３Ｂをそれぞれ連設している。なお、差込み片３Ｂ，３Ｂは、折込み部１Ｅの折込み幅よりも幅狭に形成している。
【００４５】
また、封印部材３の後側長辺部には、ケース本体１ａの後面部１Ｃの前面と対向する方向に折り曲げられた折返し部１Ｈと折込み部１Ｆａとの間に対して差込みが許容される差込み片３Ｃを連設している。なお、差込み片３Ｃは、折込み部１Ｆａの折込み幅と同一幅又は近い幅に形成している。
【００４６】
また、封印部材３の前側長辺部と差込み片３Ａの折り曲げ部分と、両側短辺部と差込み片３Ｂ，３Ｂの折り曲げ部分と、後側長辺部と差込み片３Ｃとの折り曲げ部分には、前記と同様に、図示しない罫線刃により長手方向から見て略Ｖ字状の折り曲げ罫線２を１条形成している。
【００４７】
また、差込み片３Ａが形成された前側長辺部の左右角隅部を所望する角度に切除している。これにより、封印部材３が手で破りにくく、ケース本体１ａの上端側開口部１ｂを閉塞する上蓋部１Ｆ及び折込み部１Ｅ，１Ｅが開けられるのを防止している。
【００４８】
また、差込み片３Ａ，３Ｂの両側縁部には、差込み孔１Ｊ，１Ｋの両側縁部に対して係止される切込み部３ｄを形成している。
【００４９】
ケース本体１ａの下端側開口部１ｃを閉塞する下蓋部１Ｇ，１Ｉが開けられないように封印する封印部材４は、図５、図６、図８に示すように、角筒状に組み立てられたケース本体１ａの下端側開口部１ｃを閉塞する下蓋部１Ｇ，１Ｉの全体が覆われる大きさ及び形状に形成している。
【００５０】
また、側面部１Ｂｂの下端側外面に沿って折り曲げられる封印部材４の一側短辺部には、ケース本体１ａの下端側開口部１ｃに近い前面部１Ａの下端側外面に形成された弧形状の差込み孔１Ｎに対して差込みが許容される差込み片４Ａを連設している。
【００５１】
また、前面部１Ａ及び後面部１Ｃの下端側外面に沿って折り曲げられる封印部材４の両側長辺部には、ケース本体１ａの下端側開口部１ｃに近い前面部１Ａ及び後面部１Ｃの下端側外面に形成された弧形状の差込み孔１Ｍ，１Ｍに対して差込みが許容される差込み片４Ｂ，４Ｂをそれぞれ連設している。なお、差込み片３Ｂ，３Ｂは、折込み部１Ｅの折込み幅よりも幅狭に形成している。
【００５２】
また、封印部材４の一側短辺部と差込み片４Ａの折り曲げ部分と、両側長辺部と差込み片４Ｂ，４Ｂとの折り曲げ部分には、前記と同様に、図示しない罫線刃により長手方向から見て略Ｖ字状の折り曲げ罫線２を１条形成している。
【００５３】
また、差込み片４Ａが形成された短辺部と、差込み片４Ｂが形成された長辺部との左右角隅部を所望する角度に切除している。これにより、封印部材４が手で破りにくく、ケース本体１ａの下端側開口部１ｃを閉塞する下蓋部１Ｇ，１Ｉが開けられるのを防止している。
【００５４】
また、差込み片４Ａ，４Ｂの両側縁部には、差込み孔１Ｎ，１Ｍの両側縁部に対して係止される切込み部４ｄを形成している。
【００５５】
図示実施例は前記の如く構成するものにして、以下、プラスチックケース１の封印方法を説明する。
【００５６】
先ず、図２に示すように平面展開されたケース本体１ａの前面部１Ａと、側面部１Ｂａ，１Ｂｂと、後面部１Ｃと、接合片１Ｄと、折込み部１Ｅ，１Ｅと、上蓋部１Ｆと、折込み部１Ｆａと、下蓋部１Ｇと、折込み部１Ｇａと、折返し部１Ｈと、下蓋部１Ｉとを、各部の折り曲げ部分に形成した折り曲げ罫線２に沿って内側へ折り曲げる。
【００５７】
側面部１Ｂａに連設された後面部１Ｃと、側面部１Ｂｂに連設された接合片１Ｄとの重合部分を接着剤で一体的に接着して、角筒状に組み立てる（図３参照）。なお、接着剤に代わる固定方法として、例えば熱溶着装置、超音波溶接装置で溶着するか、粘着テープで貼着する等してもよい。
【００５８】
後面部１Ｃに連設された折返し部１Ｈを内側へ折り曲げ、側面部１Ｂａ，１Ｂｂに連設された折込み部１Ｅ，１Ｅを内側へ折り曲げた後、前面部１Ａに連設された上蓋部１Ｆを折込み部１Ｅ，１Ｅに上から重ね合せて、上蓋部１Ｆに連設された折込み部１Ｆａを後面部１Ｃと折込み部１Ｅ，１Ｅとの隙間に上から差し込む。これにより、ケース本体１ａの上端側開口部１ｂを閉塞する（図３参照）。
【００５９】
一方、後面部１Ｃに連設された下蓋部１Ｉを内側へ折り曲げ、前面部１Ａに連設された下蓋部１Ｇを下蓋部１Ｉに下から重ね合せて、下蓋部１Ｇに連設された折込み部１Ｇａを、後面部１Ｃと下蓋部１Ｉとの折り曲げ部分に形成された差込み孔１Ｌに差し込む。これにより、ケース本体１ａの下端側開口部１ｃを１／２だけ閉塞して角筒状に組み立てる（図３参照）。
【００６０】
角筒状に組み立てられたプラスチックケース１に刃物Ｚを収容する場合、刃物Ｚの刃部Ｚａ側をケース本体１ａ内に収容した後、上蓋部１Ｆと折込み部１Ｅ，１Ｅによりケース本体１ａの上端側開口部１ｂを閉塞し、下蓋部１Ｇ，１Ｉと折込み部１Ｇａによりケース本体１ａの下端側開口部１ｃを閉塞して、刃物Ｚの柄部Ｚｂを、１／２だけ開口されたケース本体１ａの下端側開口部１ｃから所定長さ突出した状態に包装する（図１参照）。
【００６１】
刃物Ｚを収容する際に、該刃物Ｚを所定の収容位置に保持するためのトレーと一緒に収容するか、表示内容（例えば文字や模様、図柄、商品名、メーカー、注意書き等）が印刷された印刷物と一緒に収容してもよい。また、表示内容を、プラスチックケース１の外面又は内面に印刷するか、表示内容が印刷されたシート状の印刷物を貼着する等してもよい。
【００６２】
ケース本体１ａの上端側開口部１ｂを閉塞する上蓋部１Ｆ及び折込み部１Ｅ，１Ｅが開けられないように封印部材３で封印する場合、図４に示す封印部材３の差込み片３Ａ，３Ｂ，３Ｂを、各片の折り曲げ部分に形成した折り曲げ罫線２に沿って下方に向けて垂直に折り曲げた後、上蓋部１Ｆによって閉塞されたケース本体１ａの上端側開口部１ｂの外面に対して上方から装着する（図６、図７参照）。
【００６３】
封印部材３の前側長辺部に連設された差込み片３Ａを、前面部１Ａと上蓋部１Ｆとの折り曲げ部分に形成された差込み孔１Ｊに差し込み、差込み片３Ａの両側縁部に形成された切込み部３ｄ，３ｄを差込み孔１Ｊの両側縁部に係止して抜止めする（図９参照）。
【００６４】
封印部材３の両側短辺部に連設された差込み片３Ｂ，３Ｂを、側面部１Ｂａ，１Ｂｂと折込み部１Ｅ，１Ｅとの折り曲げ部分に形成された差込み孔１Ｋ，１Ｋに差し込み、差込み片３Ｂの両側縁部に形成された切込み部３ｄ，３ｄを差込み孔１Ｋの両側縁部に係止して抜止めする（図９参照）。これにより、ケース本体１ａの上端側開口部１ｂを閉塞する上蓋部１Ｆ及び折込み部１Ｅ，１Ｅが開けられないように封印している。
【００６５】
ケース本体１ａの下端側開口部１ｃを閉塞する下蓋部１Ｇ，１Ｉが開けられないように封印部材４で封印する場合、図５に示す封印部材４の一側短辺部と両側長辺部を、各部の折り曲げ部分に形成した折り曲げ罫線２に沿って上方に向けて起立する状態に折り曲げた後、下蓋部１Ｇ，１Ｉによって閉塞されたケース本体１ａの下端側開口部１ｃの角隅部外面に対して下方から装着する（図６、図８参照）。
【００６６】
封印部材４の一側短辺部に連設された差込み片４Ａを、ケース本体１ａの前面部１Ａの下端側外面に形成された差込み孔１Ｎに差し込み、差込み片４Ａの両側縁部に形成された切込み部４ｄ，４ｄを差込み孔１Ｎの両側縁部に係止して抜止めする（図９参照）。
【００６７】
また、封印部材４の両側長辺部に連設された差込み片４Ｂ，４Ｂを、前面部１Ａ及び後面部１Ｃの下端側外面に形成された差込み孔１Ｍ，１Ｍに差し込み、差込み片４Ｂの両側縁部に形成された切込み部４ｄ，４ｄを差込み孔１Ｍの両側縁部に係止して抜止めする（図９参照）。これにより、ケース本体１ａの下端側開口部１ｃを閉塞する下蓋部１Ｇ，１Ｉが開けられないように封印している。
【００６８】
以上のように、ケース本体１ａの上端側開口部１ｂを閉塞する上蓋部１Ｆ及び折込み部１Ｅ，１Ｅが開けられないように封印部材３で封印し、下端側開口部１ｃを閉塞する下蓋部１Ｇ，１Ｉが開けられないように封印部材４で封印するので、ケース本体１ａに収容された刃物Ｚが抜け落ちるか、刃物Ｚが抜き取られるのを防止することができる。また、上端側開口部１ｂを閉塞する上蓋部１Ｆ外面に封印部材３を装着し、下端側開口部１ｃを閉塞する下蓋部１Ｇ外面に封印部材４を装着して封印するので、特許文献１のように蓋板のみで閉塞するよりも開けにくく、封印状態を維持するのに必要な構造的強度が得られる。
【００６９】
また、封印部材３の差込み片３Ａ，３Ｂ，３Ｂを、ケース本体１ａの上端側開口部１ｂに近い差込み孔１Ｊ，１Ｋ，１Ｋに差し込み、封印部材４の差込み片４Ａ，４Ｂ，４Ｂを、ケース本体１ａの下端側開口部１ｃに近い差込み孔１Ｎ，１Ｍ，１Ｍに差し込むだけの簡単な封印構造であるので、封印作業が簡単且つ容易に行えるだけでなく、組立作業及び封印作業に要する時間が短くなり、作業の能率アップを図ることができる。また、封印装置等が不要となるため、封印作業が所望する場所で行え、作業性が向上する。
【００７０】
また、封印部材３，４をケース本体１ａの開口部１ｂ，１ｃ外面に沿って装着するので、外観上の見栄えが向上する。また、ケース本体１ａの構造を変更する必要が無く、ケース本体１ａを製作する際に要するコストの低減を図ることができる。また、ケース本体１ａ及び封印部材３，４を安価な型で製作することができる。
【００７１】
また、プラスチックケース１を製作するための製造機を用いて、封印部材３，４を製作することができるという利点を有している。また、封印部材３，４の型抜きもトムソン型の製造機を用いるため、従来例の封印部品２４，２５を製作する際の数％の製作費で製作することができる。
【００７２】
また、封印部材３，４を、プラスチックケース１を構成するプラスチックシートの肉厚より厚いシートで製作することにより、より強固に封印することができる。
【００７３】
また、ケース本体１ａの大きさ及び形状に応じて、封印部材３，４を所望する肉厚に変更することができ、封印するのに適した肉厚の封印部材３，４を選定することができる。
【００７４】
なお、ケース本体１ａの下蓋部１Ｇ，１Ｉと封印部材４を、ケース本体１ａの下端側開口部１ｃの全体が閉塞される大きさ及び形状に形成してもよい。
【００７５】
図１０の（ａ１）〜（ｈ１）は、本発明の特許請求の範囲に含まれる封印部材３の差込み片３Ａ，３Ｂ，３Ｃの係止構造の他の例を示している。なお、下記の係止構造は、封印部材３の差込み片４Ｂ，４Ｂにも適用することができる。
【００７６】
（ａ１）は、プラスチックシートの肉厚より幅が広い切込み部３ｄを、差込み片３Ａ〜３Ｃの基端側両側部に形成した半円形状の差込み片３Ａ〜３Ｃである。
【００７７】
（ｂ１）は、Ｕ字状の切欠き部３ｅを、差込み片３Ａ〜３Ｃの先端側中央部に対して差込み方向と平行して形成した差込み片３Ａ〜３Ｃであり、差し込む時において、差込み片３Ａ〜３Ｃの横幅が狭くなる状態に変形するので、差込みが容易に行える。
【００７８】
（ｃ１）は、プラスチックシートの肉厚と同一幅又は近い幅の溝部３ｆを、差込み片３Ａ〜３Ｃの基端側両側部に形成したものである。
【００７９】
（ｄ１）は、長尺の切込み部３ｄを、差込み片３Ａ〜３Ｃの基端側一側部に形成し、溝部３ｆを、差込み片３Ａ〜３Ｃの基端側他側部に形成したものである。
【００８０】
（ｅ１）は、差込み片３Ａ〜３Ｃの基端側両側部を、先端側から基端側に向けて徐々に狭くなる幅に形成したものである。
【００８１】
（ｆ１）は、プラスチックシートの肉厚と同一幅又は近い幅の溝部３ｇを、差込み片３Ａ〜３Ｃの先端側中央部から基端側中央部に向けて差込み方向と平行して形成したものである。
【００８２】
（ｇ１）は、差込み片３Ａ〜３Ｃの一側面に、側面から見て先端側から基端側に向けて徐々に肉厚が厚くなる直角三角形状の凸部３ｈを形成したものであり、差込み片３Ａ〜３Ｃの凸部３ｈを差込み孔１Ｊ〜１Ｎに係止すれば、大きな抜止め力が得られる。この場合、差込み片３Ａ〜３Ｃの厚みｈは、プラスチックシートの肉厚の２倍〜５倍程度の厚みが好ましい。
【００８３】
（ｈ１）は、差込み片３Ａ〜３Ｃの一側面に、該一側面に直交して凸片３ｉを形成したものであり、（ｇ１）と略同等の抜止め力が得られる。
【００８４】
なお、差込み片３Ａ〜３Ｃの差込み孔１Ｊ〜１Ｎに係止される部分は、プラスチックシートの肉厚が入り込むような寸法に設定するのが好ましい。
【００８５】
図１１の（ａ２）〜（ｋ２）、（ｐ２）〜（ｒ２）は、本発明の特許請求の範囲に含まれる差込み孔１Ｊ〜１Ｎの係止構造の他の例を示している。
【００８６】
（ａ２）は、差込み孔１Ｊ〜１Ｎを、一端から他端に向けて略真っ直ぐに直線形状に形成したものである。
【００８７】
（ｂ２）は、差込み孔１Ｊ〜１Ｎの両端に、該差込み孔１Ｊ〜１Ｎが引き裂かれるのを防止するための丸孔を形成したものである。また、（ｃ２）は、差込み孔１Ｊ〜１Ｎの両端に形成した丸孔を、（ｂ２）に示す丸孔より大径に形成したものである。
【００８８】
（ｄ２）は、弧形状の差込み孔１Ｊ〜１Ｎを、上向きに湾曲した状態に形成したものである。また、（ｅ２）は、弧形状の差込み孔１Ｊ〜１Ｎを、下向きに湾曲した状態に形成したものである。
【００８９】
（ｆ２）は、（ｄ２）に示す差込み孔１Ｊ〜１Ｎの両端に丸孔を形成したものである。また、（ｅ２）に示す差込み孔１Ｊ〜１Ｎの両端に丸孔を形成してもよい。
【００９０】
（ｇ２）は、略真っ直ぐな差込み孔１Ｊ〜１Ｎを、プラスチックシートの肉厚より幅広に形成したものである。
【００９１】
（ｈ２）は、プラスチックシートの肉厚より幅広に形成された弧形状の差込み孔１Ｊ〜１Ｎを、上向きに湾曲した状態に形成したものである。また、下向きに湾曲した状態に形成してもよい。
【００９２】
（ｉ２）は、差込み孔１Ｊ〜１Ｎの両端を、下側に向けて左右対称となる角度に屈曲したものである。また、上側に向けて屈曲してもよい。
【００９３】
（ｊ２）は、差込み孔１Ｊ〜１Ｎの中央部に、プラスチックシートの肉厚が入り込むような溝部を形成したものである。
【００９４】
（ｋ２）は、差込み孔１Ｊ〜１Ｎの両端を、下側に向けて略直角に屈曲したものである。また、上側に向けて屈曲してもよい。
【００９５】
（ｐ２）は、差込み孔１Ｊ〜１Ｎを、楕円形状に形成したものである。また、（ｑ２）は、差込み孔１Ｊ〜１Ｎを、半円形状に形成したものである。
【００９６】
（ｒ２）は、差込み孔１Ｊ〜１Ｎを、プラスチックシートの肉厚より幅広でＴ字状に形成したものである。この差込み孔１Ｊ〜１Ｎに差込み片を差し込む場合、捻り込むように差し込んで係止する。
【００９７】
図１２の（ｃ３）〜（ｈ３）は、本発明の特許請求の範囲に含まれる封印部材３の他の例を示している。なお、下記の封印部材は、封印部材４にも適用することができる。
【００９８】
（ｃ３）は、１つの大きい差込み片３Ａを、平面から見て長方形に形成された封印部材３の一側長辺部に連設に連設し、１つの小さい差込み片３Ｂ，３Ｂを、封印部材３の両側短辺部に連設し、２つの小さい差込み片３Ａａ，３Ａａを封印部材３の他側長辺部に連設したものである。
【００９９】
（ｄ３）は、大きい差込み片３Ａを、平面から見て長方形に形成された封印部材３の一側長辺部に連設し、小さい差込み片３Ｂ，３Ｂを、封印部材３の両側短辺部に連設に連設したものである。
【０１００】
（ｅ３）は、差込み片３Ａａ，３Ａａを、平面から見て長方形に形成された封印部材３の前後長辺部に連設し、差込み片３Ｂａ，３Ｂａを、封印部材３の両側短辺部に連設したものである。
【０１０１】
（ｆ３）の平面図及び側面図は、帯状に形成された封印部材３の左右短辺部に、凸部３ｈが形成された差込み片３Ａａ，３Ａａを連設したものである。なお、この封印部材３は、例えば射出成形、プレス成形等の方法で成形したものでもよい。
【０１０２】
（ｇ３）の平面図及び側面図は、平面から見て十字に接合された各封印部材３，３の四方端部に、凸部３ｈが形成された差込み片３Ａａ，３Ａａ，３Ｂａ，３Ｂａを連設したものである。
【０１０３】
（ｈ３）は、平面から見て正方形に形成された封印部材３の四辺部に差込み片３Ａａ，３Ａａ，３Ｂａ，３Ｂａを連設し、差込み片３Ａａ，３Ｂａが形成された各辺部の左右角隅部を所望する角度に切除している。これにより、封印部材３が手で破りにくく、ケース本体１ａの上端側開口部１ｂを閉塞する上蓋部１Ｆ及び折込み部１Ｅ，１Ｅが開けられるのを防止することができる。
【０１０４】
なお、（ｆ３）、（ｇ３）の差込み片３Ａａ，３Ｂａが差込まれる図示しない差込み孔は、Ｔ字状に切り込んでおけば差込みやすい。また、（ａ３）〜（ｈ３）に示す封印構造は、ケース本体１ａの下端側開口部１ｃを閉塞する下蓋部１Ｇ，１Ｉが開けられるのを防止する封印部材４にも適用することができる。
【０１０５】
図１３の（ａ３），（ｂ３）は、本発明の特許請求の範囲に含まれる封印部材３による封印方法の他の例を示している。なお、下記の封印方法は、封印部材４にも適用することができる。
【０１０６】
（ａ３）は、封印部材３の前後辺部に連設された差込み片３Ａ，３Ａを、ケース本体１ａの上端側開口部１ｂに近い前面部１Ａ及び後面部１Ｃの外面に形成された各差込み孔１Ｍ，１Ｍに差し込んで封印する。
【０１０７】
（ｂ３）は、封印部材３の後側辺部に連設された差込み片３Ｃを、後面部１Ｃと、内側に折り曲げられた折込み部１Ｅ，１Ｅとの隙間に差込んだ後、差込み片３Ｃの折り曲げ部分に形成された長孔３Ｃａに、後面部１Ｃの上縁部に連設された幅狭の折込み部３Ｑを差し込む。この後、封印部材３の前側辺部に連設された差込み片３Ａを、前面部１Ａの上端側開口部１ｂに近い外面に形成された差込み孔１Ｍに差し込んで封印する。
【０１０８】
図１４は、角筒状に組み立てられたケース本体１ａの上端側開口部１ｂと下端側開口部１ｃとを、一対の封印部材３，３により封印する封印方法の他の例を示している。
【０１０９】
一対の封印部材３，３を、ケース本体１ａの上端側開口部１ｂと下端側開口部１ｃとの外面に装着する際に、一対の封印部材３，３の四辺部に連設された各差込み片３Ａ，３Ａと３Ｂ，３Ｂを、ケース本体１ａの上端側開口部１ｂ及び下端側開口部１ｃに近い外面に形成された各差込み孔１Ｍ，１Ｍと１Ｎ，１Ｎに差し込む。これにより、ケース本体１ａの上蓋部１Ｆ及び折込み部１Ｅ，１Ｅと下蓋部１Ｇ，１Ｉとが開けられないように封印するので、前記実施例と略同等の作用及び効果を奏することができる。また、ケース本体１ａの上蓋部１Ｆ及び折込み部１Ｅ，１Ｅと下蓋部１Ｇ，１Ｉとが開けられないように封印するための蓋部材或いは底部材として用いることができる。
【０１１０】
図１５は、角筒状に組み立てられたケース本体１ａの上端側開口部１ｂを上蓋部１Ｆと折込み部１Ｅ，１Ｅで閉塞した後、封印部材３により上蓋部１Ｆ及び折込み部１Ｅ，１Ｅが開けられないように封印する封印方法の他の例を示している。
【０１１１】
ケース本体１ａの上端側開口部１ｂを、該開口部１ｂの３方縁部に連設された上蓋部１Ｆと折込み部１Ｅ，１Ｅとを内側へ折り曲げて閉塞した後、封印部材３を、ケース本体１ａの上端側開口部１ｂの外面に装着する際に、封印部材３の四辺部に連設された各差込み片３Ａ，３Ａと３Ｂ，３Ｂを、前面部１Ａ及び後面部１Ｃの上端側開口部１ｂに近い外面に形成された各差込み孔１Ｍ，１Ｍと、側面部１Ｂａ，１Ｂｂの上端側開口部１ｂに近い外面に形成された各差込み孔１Ｎ，１Ｎに差し込んで封印する。これにより、ケース本体１ａの上蓋部１Ｆ及び折込み部１Ｅ，１Ｅが開けられないように封印するので、前記実施例と略同等の作用及び効果を奏することができる。
【０１１２】
図１６は、角筒状に組み立てられたケース本体１ａの上端側開口部１ｂを上蓋部１Ｆと折込み部１Ｅ，１Ｅで閉塞した後、封印部材３により上蓋部１Ｆ及び折込み部１Ｅ，１Ｅが開けられないように封印する封印方法のその他の例を示している。
【０１１３】
ケース本体１ａの上端側開口部１ｂを、該開口部１ｂの３方縁部に連設された上蓋部１Ｆと折込み部１Ｅ，１Ｅとを内側へ折り曲げて閉塞した後、封印部材３を、ケース本体１ａの上端側開口部１ｂの外面に装着する。
【０１１４】
封印部材３の装着時において、封印部材３の四辺縁部に連設された各差込み片３Ａ，３Ａと３Ｂ，３Ｂを、プラスチックケース１の前面部１Ａと上蓋部１Ｆ及び上蓋部１Ｆと差込み部１Ｆａの折り曲げ部分に形成された差込み孔１Ｊ，１Ｊと、側面部１Ｂａ，１Ｂｂと折込み部１Ｅ，１Ｅの折り曲げ部分に形成された差込み孔１Ｋ，１Ｋとに差し込んで封印する。これにより、ケース本体１ａの上蓋部１Ｆ及び折込み部１Ｅ，１Ｅが開けられないように封印するので、前記実施例と略同等の作用及び効果を奏することができる。
【０１１５】
なお、図１３、図１４、図１５に示す封印方法は、ケース本体１ａの下蓋部１Ｇ，１Ｉが開けられないように封印する際にも用いることができる。
【０１１６】
この発明の構成と、前記実施例との対応において、  
この発明の被収容物は、実施例の刃物Ｚに対応するも、  
この発明は、前記実施例の構成のみに限定されるものではなく、請求項に示される技術思想に基づいて応用することができ、多くの実施の形態を得ることができる。
【産業上の利用可能性】
【０１１７】
本発明のプラスチックケースの封印方法及びその封印部材は、実施例の刃物以外に、例えば調理器具、雑貨品、文房具、部品、食品等の被収容物が抜き取られるか、盗まれるのを防止する際にも適用することができる。
【図面の簡単な説明】
【０１１８】
【図１】プラスチックケースによる柄付き刃物の包装状態を示す正面図。
【図２】プラスチックケースの平面展開した状態を示す平面図。
【図３】プラスチックケースの組み立て状態を示す斜視図。
【図４】上端側開口部を封印する封印部材の平面展開した状態を示す平面図。
【図５】下端側開口部を封印する封印部材の平面展開した状態を示す平面図。
【図６】上下封印部材の装着方法を示す斜視図。
【図７】上側封印部材の装着方法を示す拡大斜視図。
【図８】下側封印部材の装着方法を示す拡大斜視図。
【図９】上下封印部材によるプラスチックケースの封印状態を示す斜視図。
【図１０】差込み片の他の例を示す説明図。
【図１１】差込み孔の他の例を示す説明図。
【図１２】封印部材の他の例を示す説明図。
【図１３】封印方法の他の例を示す説明図。
【図１４】角筒状プラスチックケースの封印方法を示す斜視図。
【図１５】図１４の封印方法の他の例を示す斜視図。
【図１６】図１４の封印方法のその他の例を示す斜視図。
【図１７】従来例の封印方法を示す斜視図。
【符号の説明】
【０１１９】
Ｚ…刃物
１…プラスチックケース
１ａ…ケース本体
１ｂ，１ｃ…開口部
１Ａ…前面部
１Ｂａ，１Ｂｂ…側面部
１Ｃ…後面部
１Ｅ…折込み部
１Ｆ…上蓋部
１Ｇ…下蓋部
１Ｈ…折返し部
１Ｊ〜１Ｎ…差込み孔
２…折り曲げ罫線
３，４…封印部材
３Ａ，３Ｂ，３Ｃ…差込み片
３Ａａ，３Ｂａ…差込み片
３ｄ，４ｄ…切込み部
３ｅ…切欠き部
３ｆ，３ｇ…溝部
３ｈ…凸部
３ｉ…凸片
４Ａ，４Ｂ…差込み片
【図１】
2009137639.tif 000003
【図２】
2009137639.tif 000004
【図３】
2009137639.tif 000005
【図４】
2009137639.tif 000006
【図５】
2009137639.tif 000007
【図６】
2009137639.tif 000008
【図７】
2009137639.tif 000009
【図８】
2009137639.tif 000010
【図９】
2009137639.tif 000011
【図１０】
2009137639.tif 000012
【図１１】
2009137639.tif 000013
【図１２】
2009137639.tif 000014
【図１３】
2009137639.tif 000015
【図１４】
2009137639.tif 000016
【図１５】
2009137639.tif 000017
【図１６】
2009137639.tif 000018
【図１７】
2009137639.tif 000019